(57)【要約】      （修正有）【課題】切断した多数の折れ刃は折り刃収納部に収納され、適宜まとめて危険なゴミとして適切に処理することできるカッターの提供。【解決手段】刃先１ａを設けると共に折刃線１ｂを刻設した折刃カッター刃体１と、折刃カッター刃体１にスライダー２ａを係止して摺動させる折刃カッターナイフケース２と、折刃カッターナイフケース２に装着した折り刃用キャップ３とを備え、折り刃用キャップ３には折り刃用凹溝３ａを開口させ底部に接続した折り刃収納部３ｂを形成し、折り刃収納部３ｂに封止板４を装着したものであり、折刃カッターナイフケース２と折り刃用キャップ３との当接面に接続用リブ５を立設すると共に、接続用リブ５と合致する位置に接続用孔６を形成した。【選択図】図１
0003127268.tif 000002
【実用新案登録請求の範囲】
【請求項１】
長手方向の一側辺に刃先を設けると共に長手方向に一定間隔で多数の折刃線を刻設した板状の折刃カッター刃体と、該折刃カッター刃体にスライダーを係止して進退可能に摺動させる折刃カッターナイフケースと、該折刃カッターナイフケースの基端に着脱自在に装着した折り刃用キャップとを備え、前記折り刃用キャップの基端側には折り刃用凹溝を開口させ、該折り刃用凹溝の底部に接続した中空状の折り刃収納部を形成し、該折り刃収納部の先端側に着脱可能な封止板を装着したことを特徴とする折り刃収納部付カッター。
【請求項２】
前記折刃カッターナイフケースと折り刃用キャップとの当接面の何れか片方に一対の接続用リブを立設すると共に、該一対の接続用リブと合致する位置の他方に一対の接続用孔を形成したことを特徴とする請求項１に記載の折り刃収納部付カッター。
【考案の詳細な説明】
【技術分野】
【０００１】
本考案は、折り刃収納部付カッターに関するものであり、更に詳細には、折刃カッターナイフの切れ味が悪くなったときに折刃カッター刃体を先端の方から折刃線で切断して新しい部位を使用するものであるが、その切断した小片の折り刃を破棄しないでそのまま収納できる折り刃収納部付カッターに関するものである。
【背景技術】
【０００２】
従来から、折刃カッター刃体を先端から順次折刃線で切断して切れ味を復活させるタイプの折刃カッターナイフが普及しており、毎日膨大な数の折れ刃が折られているが、その殆どは一般のゴミの中に混入されて破棄されているのが実情である。
【０００３】
例えば、先に開示されている、ホルダ２に対するスライダ３の移動操作に伴い刃体４がホルダ２に対し出没する。ホルダ２に設けた替刃ケース１３内に替刃収容室１６を設け、収容室１６内の替刃１７の有無を替刃ケース１３の外側から判別することができる貫通孔２０をホルダ２に設けている。スライダ３においてスライダ本体３２に操作体３４を支持する支持手段は、スライダ本体３２の軸部と操作体３４の孔部とを互いに挿嵌した軸支部３９と、軸支部３９に対し操作体３４を傾動させてスライダ本体３２に係止する係止部４２とを備えている。替刃１７の刃先縁の向きを変更した状態で替刃１７を収容室１６内に収容した際に替刃１７の先端縁が当接して収容室１６の内面から刃先縁の尖端部を離間させるストッパ部を設けているもの（特許文献１参照）がある。
【特許文献１】特開２００５−６６２０７号公報
【考案の開示】
【考案が解決しようとする課題】
【０００４】
然し乍ら、折刃カッターナイフの折刃カッター刃体を折刃線で切断した小片の折り刃を一般のゴミとして破棄すると、未だ鋭利性が残っている金属片であり、非常に危険なものとなっているが、その対策取られていないものである。
【０００５】
また、特許文献１に記載のものは、折刃カッターナイフの未使用の折刃カッター刃体の替刃を収納するものであって、使用中や使用後の折刃カッター刃体や切断されて小片と成った折り刃は従来と同様に破棄されるものであった。
【課題を解決するための手段】
【０００６】
前記課題に鑑み、鋭意研鑽の結果、長手方向の一側辺に刃先を設けると共に長手方向に一定間隔で多数の折刃線を刻設した板状の折刃カッター刃体と、折刃カッター刃体にスライダーを係止して進退可能に摺動させる折刃カッターナイフケースと、折刃カッターナイフケースの基端に着脱自在に装着した折り刃用キャップとを備え、折り刃用キャップの基端側には折り刃用凹溝を開口させ、折り刃用凹溝の底部に接続した中空状の折り刃収納部を形成し、折り刃収納部の先端側に着脱可能な封止板を装着したものであり、更に、折刃カッターナイフケースと折り刃用キャップとの当接面の何れか片方に一対の接続用リブを立設すると共に、一対の接続用リブと合致する位置の他方に一対の接続用孔を形成したものである。
【考案の効果】
【０００７】
本考案の折り刃収納部付カッターは、折刃カッターナイフケースの基端に装着した折り刃用キャップを取り外して反転させて、折り刃用凹溝に切れ味の落ちた折刃カッター刃体の先端を挿通させて、折り曲げるようにすることにより先端の折り刃が切断されるものであり、切断された小片の折り刃はそのまま中空状の折り刃収納部に落下させるもので、切断した多数の折れ刃は折り刃収納部に収納され、適宜まとめて危険なゴミとして適切に処理することでき、極めて有効的で実用性の高い考案である。
【考案を実施するための最良の形態】
【０００８】
以下、本考案の折り刃収納部付カッターの実施例の図面を用いて詳細に説明すると、図１は本考案の折り刃収納部付カッターの実施例の平面図であり、図２は本考案の折り刃収納部付カッターの実施例の折り刃用キャップの平面図であり、図３は本考案の折り刃収納部付カッターの実施例の折刃カッターナイフケースの基端部の平面図であり、図４は本考案の折り刃収納部付カッターの実施例の封止板の平面図である。
【０００９】
本考案は、折り刃収納部付カッターに関するものであり、更に詳細には、折刃カッターナイフの切れ味が悪くなったときに折刃カッター刃体を先端の方から折刃線で切断して新しい部位を使用するものであるが、その切断した小片の折り刃を破棄しないでそのまま収納できる折り刃収納部付カッターに関するものであり、請求項１に記載の折り刃収納部付カッターは、長手方向の一側辺に刃先１ａを設けると共に長手方向に一定間隔で多数の折刃線１ｂを刻設した板状の折刃カッター刃体１と、該折刃カッター刃体１にスライダー２ａを係止して進退可能に摺動させる折刃カッターナイフケース２と、該折刃カッターナイフケース２の基端に着脱自在に装着した折り刃用キャップ３とを備え、前記折り刃用キャップ３の基端側には折り刃用凹溝３ａを開口させ、該折り刃用凹溝３ａの底部に接続した中空状の折り刃収納部３ｂを形成し、該折り刃収納部３ｂの先端側に着脱可能な封止板４を装着したことを特徴とするものである。
【００１０】
更に、請求項２に記載の折り刃収納部付カッターは、請求項１に記載の折り刃収納部付カッターにおいて、前記折刃カッターナイフケース２と折り刃用キャップ３との当接面の何れか片方に一対の接続用リブ５を立設すると共に、該一対の接続用リブ５と合致する位置の他方に一対の接続用孔６を形成したことを特徴としたものである。
【実施例】
【００１１】
即ち、本考案の折り刃収納部付カッターは、図一に図示する如く、汎用されている折刃カッターナイフと同様に、折刃カッター刃体１と、折刃カッターナイフケース２と、スライダー２ａと、折り刃用キャップ３とを備えたものである。
【００１２】
そして、折刃カッター刃体１は、長さを有した板状の金属製で長手方向の一側辺に刃先１ａを設けており、該刃先１ａを鋭角とするように略６０度の角度でクロスするように長手方向に一定間隔で折ることにより切断するための多数の折刃線１ｂを刻設しているものである。
【００１３】
次に、折刃カッターナイフケース２は、長手方向の両側に凹溝を形成し、該凹溝にスライダー２ａの鍔部を挿通させ、該スライダー２ａの小突起を突設させ、該小突起を折刃カッター刃体１の基端片に穿設した小孔に挿通させ、折刃カッター刃体１はスライダー２ａと共に進退可能に摺動するもので、前記スライダー２ａの側面には板バネを突出させて、該板バネを折刃カッターナイフケース２に設けた連続した凹凸部に当接させることによりクリック感と係止をさせる周知の構造のものである。
【００１４】
次に、折り刃用キャップ３は、折刃カッターナイフケース２の基端に着脱自在に装着するもので、基端側には折り刃用凹溝３ａを開口させているものである。
【００１５】
更に、折り刃収納部３ｂは、前記折り刃用凹溝３ａの底部に接続して形成した中空状のものであり、折刃カッターナイフケース２の基端から折り刃用キャップ３を取り外し、反転させて折り刃用凹溝３ａに折刃カッター刃体１の先端を挿通させて折り曲げると、折刃線１ｂから切断され小片の折り刃が折り刃用凹溝３ａに残り、折り刃は折り刃用凹溝３ａから折り刃収納部３ｂに落下するものであり、複数枚の小片と成った折り刃が収納されるものである。
【００１６】
更には、封止板４は、折り刃収納部３ｂの先端側の開口に着脱可能に装着したものであり、布、合成樹脂、金属等でシート状に形成して、折り刃収納部３ｂの開口を閉蓋するものである。
【００１７】
そして、一対の接続用リブ５と一対の接続用孔６とは、折刃カッターナイフケース２と折り刃用キャップ３とを封止板４を介して接続するもので、図示する実施例では、 折刃カッターナイフケース２の基端面に一対の接続用リブ５を立設し、該一対の接続用リブ５と合致する位置の折り刃用キャップ３の先端面に一対の接続用孔６を形成したものであるが、一対の接続用リブ５と一対の接続用孔６とは逆に設けても合致する位置に設けていれば構わないものであり、封止板４には一対の接続用リブ５が貫通する孔を穿設しているものである。
【産業上の利用可能性】
【００１８】
本考案の折り刃収納部付カッターは、折り刃用キャップを取り外して反転させて、折り刃用凹溝に切れ味の落ちた折刃カッター刃体の先端を挿通させて、折り曲げることにより折り刃が切断されるものであり、小片の折り刃はそのまま折り刃収納部に落下させ収納され、適宜まとめて危険なゴミとして適切に処理することでき、折り刃収納部付カッターを提供するものである。
【図面の簡単な説明】
【００１９】
【図１】図１は本考案の折り刃収納部付カッターの実施例の平面図である。
【図２】図２は本考案の折り刃収納部付カッターの実施例の折り刃用キャップの平面図である。
【図３】図３は本考案の折り刃収納部付カッターの実施例の折刃カッターナイフケースの基端部の平面図である。
【図４】図４は本考案の折り刃収納部付カッターの実施例の封止板の平面図である。
【符号の説明】
【００２０】
１      折刃カッター刃体
１ａ    刃先
１ｂ    折刃線
２      折刃カッターナイフケース
２ａ    スライダー
３      折り刃用キャップ
３ａ    折り刃用凹溝
３ｂ    折り刃収納部
４      封止板
５      接続用リブ
６      接続用孔
【図１】
0003127268.tif 000003
【図２】
0003127268.tif 000004
【図３】
0003127268.tif 000005
【図４】
0003127268.tif 000006